(57)【要約】【課題】収納時や輸送時のコンパクト化が容易で、使用時の組み立ても容易な組立式ケースを提供する。【解決手段】組立式ケース１Ａは、雛人形等が配置されるベース部材３と、ベース部材３の装着溝２１に下端部を嵌合して設置される背板５及び左右の側板７、９と、左右の側板７、９に形成された嵌合溝７ａ、９ａに嵌合して嵌め込まれる前板１１と、背板５と左右の側板７、９の上端に形成された凸部５ｂ、７ｂ、９ｂに嵌合して取り付けられる天板１３とを有し、背板５、左右の側板７、９、前板１１及び天板１３はガラス板等の透明パネルを備えている。左右の側板７、９は背板５の左右の端部に蝶番１９で回動自在に取り付けられており、収納時には背板５に沿って折り畳まれ、他の取り外された各部材と共に平坦な状態で積み重ねられる。【選択図】  図３
0003225822.tif 000002
【実用新案登録請求の範囲】
【請求項１】
ベース部材と、該ベース部材に対してそれぞれ着脱自在に設けられ、該ベース部材上の空間を区画する背板、左右の側板及び前板と、これら背板、左右の側板及び前板の上端側に着脱自在に設けられる天板とを備え、少なくとも前記前板の一部は透明な材料で形成された組立式ケースであって、
前記左右の側板は、前記背板の左右の端部にそれぞれ蝶番を介して回動自在に取り付けられ、前記左右の側板を前記背板の前記前板側の面に重ねて折り畳み可能な構成を有していることを特徴とする組立式ケース。
【請求項２】
請求項１に記載した組立式ケースにおいて、前記左右の側板の前記蝶番側と反対側の端部の内側にはそれぞれ、前記前板をスライドさせて嵌め込むための嵌合溝が上下方向に形成されていることを特徴とする組立式ケース。
【請求項３】
請求項１又は２に記載した組立式ケースにおいて、前記ベース部材には、前記背板、前記左右の側板及び前記前板の下端部を挿入して立った状態に保持するための装着溝が形成され、前記天板の下面と、前記背板及び前記左右の側板の上端との間のいずれか一方側には凸部が形成され、他方側には前記凸部に嵌合する凹部が形成されていることを特徴とする組立式ケース。
【請求項４】
請求項１から３のいずれかに記載した組立式ケースにおいて、前記左右の側板の奥行方向の幅を合計した寸法が、前記背板の左右方向の幅を超える構成を有しており、前記左右の側板を折り畳んだときに前記左右の側板が平行に重なるように構成されていることを特徴とする組立式ケース。
【請求項５】
請求項４に記載した組立式ケースにおいて、前記左右の側板のうちの一方の側板は、他方の側板と同じ厚みを有して前記背板の前記前板側の面に固定又は形成された介装部材に前記蝶番を介して回動自在に取り付けられていることを特徴とする組立式ケース。
【考案の詳細な説明】
【技術分野】
【０００１】
本考案は、雛人形や置物等の飾り物類を収容して鑑賞するのに用いられるケースに関し、詳しくは未使用時や不使用時のコンパクト収納が可能な組立式ケースに関するものである。
【背景技術】
【０００２】
この種のケースとしては、雛人形を飾る人形ケースが知られている。従来では複数段構成の雛段（スチール段）に雛人形や雪洞等の雛飾りを陳列するのが一般的であったが、猫等のペットによるいたずらによって飾りが崩されたり、埃等の付着により雛人形等が汚損したりするのを防止する観点から、近年においてはガラス板や透明アクリル板を備えたケースで覆うものが多くなってきている。
このようなケースの構成は、例えば特許文献１に開示されているように、ケース台に下方が開放された箱形のケース枠を載置して、ケース台上に配置された雛人形等を覆うようになっている。
すなわち、ケース枠は前面、後面、左右側面及び上面を複数の枠部材で区画構成し、各面にガラス板や透明アクリル板を嵌め込んで一体に構成されている。
従って、飾り付け内容を変えたりする場合には、箱形状のケース枠を外して飾り物の交換等を行った後、ケース枠を被せるようになっている。
【先行技術文献】
【特許文献】
【０００３】
【特許文献１】特開平９−５６５３４号公報
【考案の概要】
【考案が解決しようとする課題】
【０００４】
ところで、この種のケースは特定の時節のみに使用される場合が多く、不使用時には収納・保管する必要がある。しかしながら、上記のようにケース枠が箱形状の一体構成の場合、嵩張って大きな収納・保管スペースが必要となる問題があった。
製造元から小売店への流通過程における輸送（運搬）や、小売店からユーザー宅への輸送等においても同様の問題があった。
【０００５】
本考案は上記従来の問題点に着目して為されたものであり、収納時や輸送時のコンパクト化が容易で、使用時の組み立ても容易な組立式ケースの提供を、その目的とする。
【課題を解決するための手段】
【０００６】
本考案は、上記目的を達成するために為されたものであり、請求項１の考案は、ベース部材と、該ベース部材に対してそれぞれ着脱自在に設けられ、該ベース部材上の空間を区画する背板、左右の側板及び前板と、これら背板、左右の側板及び前板の上端側に着脱自在に設けられる天板とを備え、少なくとも前記前板の一部は透明な材料で形成された組立式ケースであって、前記左右の側板は、前記背板の左右の端部にそれぞれ蝶番を介して回動自在に取り付けられ、前記左右の側板を前記背板の前記前板側の面に重ねて折り畳み可能な構成を有していることを特徴とする組立式ケースである。
【０００７】
請求項２の考案は、請求項１に記載した組立式ケースにおいて、前記左右の側板の前記蝶番側と反対側の端部の内側にはそれぞれ、前記前板をスライドさせて嵌め込むための嵌合溝が上下方向に形成されていることを特徴とする組立式ケースである。
【０００８】
請求項３の考案は、請求項１又は２に記載した組立式ケースにおいて、前記ベース部材には、前記背板、前記左右の側板及び前記前板の下端部を挿入して立った状態に保持するための装着溝が形成され、前記天板の下面と、前記背板及び前記左右の側板の上端との間のいずれか一方側には凸部が形成され、他方側には前記凸部に嵌合する凹部が形成されていることを特徴とする組立式ケースである。
【０００９】
請求項４の考案は、請求項１から３のいずれかに記載した組立式ケースにおいて、前記左右の側板の奥行方向の幅を合計した寸法が、前記背板の左右方向の幅を超える構成を有しており、前記左右の側板を折り畳んだときに前記左右の側板が平行に重なるように構成されていることを特徴とする組立式ケースである。
【００１０】
請求項５の考案は、請求項４に記載した組立式ケースにおいて、前記左右の側板のうちの一方の側板は、他方の側板と同じ厚みを有して前記背板の前記前板側の面に固定又は形成された介装部材に前記蝶番を介して回動自在に取り付けられていることを特徴とする組立式ケースである。
【考案の効果】
【００１１】
本考案によれば、収納時や輸送時のコンパクト化が容易で、使用時の組み立ても容易な組立式ケースを提供することができる。
【図面の簡単な説明】
【００１２】
【図１】本考案の第１の実施の形態に係る組立式ケースの使用状態を示す斜視図である。
【図２】図１で示した組立式ケースのベース部材上に載置される台の斜視図である。
【図３】図１で示した組立式ケースの要部分解斜視図である。
【図４】図１で示した組立式ケースにおける天板を示す図で、（ａ）は底面図、（ｂ）は（ａ）のＸ−Ｘ線での要部断面図である。
【図５】図１で示した組立式ケースにおける背板に対する左の側板の回動構成を示す要部平面図である。
【図６】図１で示した組立式ケースにおける背板と左右の側板の水平展開図である。
【図７】図１で示した組立式ケースを分解した収納状態を示す図である。
【図８】図１で示した組立式ケースの奥行寸法を大きくした場合の問題点を説明するための図である。
【図９】本考案の第２の実施の形態に係る組立式ケースの使用状態を示す斜視図である。
【図１０】図９で示した組立式ケースにおける背板と左右の側板を示す斜視図である。
【図１１】図９で示した組立式ケースにおける背板に対する左の側板の回動構成を示す要部平面図である。
【図１２】図９で示した組立式ケースを分解した収納状態を示す図である。
【考案を実施するための形態】
【００１３】
以下、本考案の実施の形態について図を参照して説明する。まず、図１乃至図７を参照して第１の実施の形態を説明する。
図１に示すように、組立式ケース１Ａは、ベース部材３と、該ベース部材３に対してそれぞれ着脱自在に設けられ、該ベース部材３上の空間を矩形状に区画する背板５、左右の側板７、９及び前板１１と、これら背板５、左右の側板７、９及び前板１１の上端側に着脱自在に設けられる天板１３とを備え、少なくとも前板１１の一部は透明な材料で形成されている。
本実施の形態では、背板５、左右の側板７、９、前板１１及び天板１３の全てが透明のガラス板やアクリル板等の透明パネルを備えており、底面側を除く全方位からケース内を視認できるようになっている。
ベース部材３の上面の奥側には、雛人形等を飾るための台１５が載置されており、台１５の前方側は雪洞等を配置するスペース１７となっている。台１５とベース部材３にはそれぞれ、電源コードを通す挿通穴１５ａ、３ａが形成されており、雪洞等への外部からの通電が可能となっている。
図２に示すように、台１５は、下面にベース部材３の上面から安定に浮かせるための脚部１５ｂ、１５ｃを備えている。
【００１４】
図３に示すように、左右の側板７、９は、背板５の左右の端部にそれぞれ蝶番１９を介して水平方向に回動自在に取り付けられ、左右の側板７、９を背板５の前板１１側の面５ａに重ねて折り畳み可能な構成を有している。
左右の側板７、９の蝶番１９側と反対側の端部の内側にはそれぞれ、前板１１をスライドさせて嵌め込むための嵌合溝７ａ、９ａが上下方向に貫通して形成されている。
ベース部材３には、背板５、左右の側板７、９及び前板１１の下端部を挿入してこれらを立った状態に保持するための装着溝２１が矩形状に連なるように形成されている。
背板５と左右の側板７、９を装着溝２１に嵌合して立たせた後、左右の側板７、９の自由端側に形成された嵌合溝７ａ、９ａに前板１１の下端部を嵌合して下方にスライドさせると、前板１１の下端部が装着溝２１に挿入され、前板１１の嵌め込みが完了する。その後、背板５及び左右の側板７、９の上端側に天板１３を嵌め込むことにより組立式ケース１Ａの組み立てが完了する。なお、図３では台１５を省略している。
【００１５】
背板５の上端の中央と、左右の側板７、９の自由端寄りには円柱状の凸部５ｂ、７ｂ、９ｂが形成されており、これらに対応して天板１３には凸部５ｂ、７ｂ、９ｂに嵌合する凹部としての円形穴１３ａが形成されている（図４（ａ）参照）。
天板１３は、長方形状の枠部１３Ａと、該枠部１３Ａに嵌め込まれたガラス板やアクリル板等の透明パネル１３Ｂからなり、図４（ｂ）に示すように、枠部１３Ａの下面には背板５や左右の側板７、９及び前板１１の上端部が収容される嵌合溝１３Ｃが形成されている。円形穴１３ａは嵌合溝１３Ｃの底面に非貫通で形成されている。
図示しないが、装着溝２１の背板５に対応する部分の中央部位には凸部が形成されており、これに対応して背板５の下面には該凸部に嵌合する凹部（円形穴）が形成されている。この嵌合構成は、ベース部材３に対する背板５の位置決めと、揺らぎ抑制に寄与する。
透明パネルの嵌め込み構造は、枠部に溝を形成して嵌め込む構成や、重ね合わせによって挟み込む構成が採用される。透明パネルの嵌め込み構造は背板５、左右の側板７、９及び前板１１においても同様であるので説明は省略する。
【００１６】
ベース部材３の上面に雛人形等を配置した後、上記のように、背板５と左右の側板７、９をベース部材３に装着して立った状態とし、次いで前板１１を嵌め込み、その後天板１３を装着することにより容易に組立式ケース１Ａを構成することができる。
特に、前板１１は嵌合溝７ａ、９ａに嵌めて落とし込むだけでよく、何ら結合構成を必要としないので組み立て操作が容易となる。
【００１７】
図５に示すように、左の側板７は背板５の左側端部に蝶番１９を介して回動自在に設けられている。右の側板９も同様の回動構成を有しており、図６は左右の側板７、９を背板５に沿って直線状に水平展開した状態を示している。
背板５の左右方向の幅ｗに対し、左右の側板７、９の奥行方向の幅ｄはｗ／２以下となっている。
【００１８】
組立式ケース１Ａを分解するときは、天板１３を外した後前板１１を抜き取り、その後背板５と左右の側板７、９の一体構成をベース部材３から外す。
左右の側板７、９は背板５の前板１１側の面５ａに重なるように、すなわち面５ａと略平行となるように内方に折り畳む。このようにすることで、例えば図７に示すように、ベース部材３の上に台１５、天板１３、前板１１、背板５及び左右の側板７、９と重ねることにより、コンパクトで省スペースな収納状態を得ることができる。
図１に示す箱形状（使用状態）のままであると、収納時や輸送時にケースが嵩張って持ち運びやスペース確保上の問題を避けられないが、上記のように分解して重ね合わせることによりコンパクト化を実現できる。
【００１９】
ところで、雛人形等をより豪華にみせるためには屏風や三宝等の道具（飾り物）を多く配置する必要があるが、その場合、ケースの奥行寸法（図１に示すＤ）を大きくとる必要がある。すなわち、左右の側板７、９の奥行寸法を大きくする必要がある。道具のサイズによっても同様の問題が生じる。
しかしながら、左右の側板７、９の奥行方向の幅ｄの合計が背板５の左右方向の幅ｗを超えると、左右の側板７、９を背板５に沿うように折り畳んだときに、図８に示すように、一方の側板（ここでは左の側板７）が他方の側板（ここでは右の側板９）に乗り上げて傾斜姿勢で重なることになる。
すなわち、右の側板９は背板５に対し略平行な状態で当接するが、左の側板７は傾斜姿勢で右の側板９の角部に当接することになる。従って、収納状態において傾斜している分嵩張るだけでなく、輸送中などにおいて傾斜姿勢の左の側板７の一部分に荷重が集中的に掛かり、破損してしまう虞がある。
【００２０】
この問題に対処した本考案の第２の実施の形態を、図９乃至図１２を参照して説明する。なお、第１の実施の形態と同一部分は同一符号で示す。
図９に示すように、組立式ケース１Ｂは、構成上は図１で示した組立式ケース１Ａと変わらないが、左右の側板７、９の奥行方向の幅を大きくしている。すなわち、組立式ケース１Ｂの奥行寸法Ｄ´は組立式ケース１Ａの奥行寸法Ｄよりも大きくなっている。
具体的には、ベース部材２３と、背板５と、背板５の左側端部に蝶番１９を介して回動自在に取り付けられた左の側板２５と、背板５の右側端部に蝶番１９を介して回動自在に取り付けられた右の側板２７と、前板１１と、天板２９とを有している。
左の側板２５と右の側板２７の奥行方向の幅ｄ１、ｄ２は、第１の実施の形態における左右の側板７、９の奥行方向の幅ｄよりも大きくなっており、これに伴ってベース部材２３と天板２９の奥行寸法も第１の実施の形態におけるベース部材３と天板１３の奥行寸法よりも大きくなっている。
これにより、台１５の前方側における雪洞等を配置するスペース１７は広くなっており、別の道具やサイズの大きい道具を配置可能となっている。
【００２１】
さらに具体的に説明すると、図１０、図１１に示すように、背板５の左側端部の前面には右の側板２７と同じ厚みを有する直方体状の介装部材３１が固定されており、該介装部材３１に蝶番１９を介して左の側板２５が回動自在に取り付けられている（図１１では分り易くするために介装部材３１をハッチングで表示）。図１０において、符号２５ａ、２７ａは前板１１を嵌め込むための嵌合溝を、２５ｂ、２７ｂは天板２９を装着するための凸部を示している。
【００２２】
上記の構成とすることにより、図１２に示すように、組立式ケース１Ｂを分解して収納状態としたときに、左右の側板２５、２７を平行（略平行を含む）に重ねることができ、上述した嵩張りや集中荷重の掛かりによる側板の損傷の問題を解消することができる。
【００２３】
以上、本考案の実施の形態について詳述してきたが、具体的構成は、上記の各実施の形態に限定されるものではなく、本考案の趣旨を逸脱しない範囲における設計の変更があっても考案に含まれる。
例えば、背板５及び左右の側板７、９の上端側に対する天板１３の着脱自在構成は、天板１３の下面と、背板５及び左右の側板７、９の上端との間のいずれか一方側に凸部が形成され、他方側に該凸部に嵌合する凹部が形成されていればよい。
また、天板１３の着脱構成では、凸部を背板５と左右の側板７、９のみに形成したが、前板１１にも形成してもよく、さらに凸部及び凹部の形成位置は上記に限定されない。
さらに、天板１３の着脱構成は凸部と凹部の嵌合構成に限定されず、天板１３の下面に形成された細長い凸部を背板５、左右の側板７、９及び前板１１で区画される枠内に入れて位置決めする構成としてもよい。
【００２４】
第２の実施の形態における介装部材３１は背板５とは別部材としたが、合成樹脂材で背板５に一体に形成してもよい。
また、第２の実施の形態では介装部材３１を左の側板２５側に設ける例を示したが、右の側板２７側に設けても同様の効果を得ることができる。
なお、上記実施の形態では組立式ケースを略直方体としたが、略立方体としてもよいのは勿論である。
また、天板を２枚の平板状部材によって構成して、この平板状部材を蝶番で連結することで中心部分において回動可能とし、更に背板と前板を四角形と三角形とが一体となった形状として、上記天板が山型に折れた状態で、天板を構成する２枚の平板状部材が傾斜姿勢で前記背板と前板の三角形部分の縁に接続される構成とすることで、三角屋根状の組立式ケースとしてもよい。
【符号の説明】
【００２５】
１Ａ、１Ｂ…組立式ケース                  ３、２３…ベース部材      ５…背板
５ｂ、７ｂ、９ｂ、２５ｂ、２７ｂ…凸部    ７、２５…左の側板
７ａ、９ａ、２５ａ、２７ａ…嵌合溝        ９、２７…右の側板      １１…前板
１３、２９…天板                          １９…蝶番                ２１…装着溝
１３ａ…凹部としての円形穴                ３１…介装部材
【図１】
0003225822.tif 000003
【図２】
0003225822.tif 000004
【図３】
0003225822.tif 000005
【図４】
0003225822.tif 000006
【図５】
0003225822.tif 000007
【図６】
0003225822.tif 000008
【図７】
0003225822.tif 000009
【図８】
0003225822.tif 000010
【図９】
0003225822.tif 000011
【図１０】
0003225822.tif 000012
【図１１】
0003225822.tif 000013
【図１２】
0003225822.tif 000014
【手続補正書】
【提出日】令和2年2月7日(2020.2.7)
【手続補正１】
【補正対象書類名】実用新案登録請求の範囲
【補正対象項目名】請求項１
【補正方法】変更
【補正の内容】
【請求項１】
ベース部材と、該ベース部材に対してそれぞれ設けられ、該ベース部材上の空間を区画する背板、左右の側板及び前板と、これら背板、左右の側板及び前板の上端側に設けられる天板とを備え、少なくとも前記前板の一部は透明な材料で形成された組立式ケースであって、
前記左右の側板は、前記背板の左右の端部にそれぞれ蝶番を介して回動自在に取り付けられ、前記左右の側板を前記背板の前記前板側の面に重ねて折り畳み可能な構成を有していることを特徴とする組立式ケース。
【手続補正２】
【補正対象書類名】明細書
【補正対象項目名】０００６
【補正方法】変更
【補正の内容】
【０００６】
本考案は、上記目的を達成するために為されたものであり、請求項１の考案は、ベース部材と、該ベース部材に対してそれぞれ設けられ、該ベース部材上の空間を区画する背板、左右の側板及び前板と、これら背板、左右の側板及び前板の上端側に設けられる天板とを備え、少なくとも前記前板の一部は透明な材料で形成された組立式ケースであって、前記左右の側板は、前記背板の左右の端部にそれぞれ蝶番を介して回動自在に取り付けられ、前記左右の側板を前記背板の前記前板側の面に重ねて折り畳み可能な構成を有していることを特徴とする組立式ケースである。